【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
波長変換平均出力の制御方法であって、前記制御方法は、
１個以上のシードパルスを生成することと；
前記シードパルスを光増幅器（１０３）によって増幅することによって、１個以上の増幅パルスを生成することと；
前記増幅パルスを波長変換することによって、波長変換平均出力によって特徴付けられた１個以上の波長変換パルスを生成することと；
前記増幅パルスのパルス周期と比較可能な時間スケールとしての周期スケールにわたって前記増幅パルスの平均出力を調整することなく、前記周期スケールにわたって波長変換平均出力を制御することと
を含む、制御方法。
【請求項２】
前記パルス周期は、１ミリ秒未満である、
請求項１記載の制御方法。
【請求項３】
前記シードパルスの増幅は、前記光増幅器（１０３）にポンピングエネルギを供給することを含み、
前記周期スケールにわたって前記光増幅器（１０３）に供給される平均ポンプ出力は、一定である、
請求項１記載の制御方法。
【請求項４】
波長変換平均出力の制御は、
前記増幅パルスのピーク出力の調整と、
前記増幅パルスの偏光とのうちの少なくとも一方を含む、
請求項１記載の制御方法。
【請求項５】
前記増幅パルスのピーク出力の調整は、
前記シードパルスの負荷サイクルの調整と、
前記シードパルスのパルス繰返周波数の調整とのうちの少なくとも一方を含む、
請求項４記載の制御方法。
【請求項６】
更に、前記シードパルスの一定の平均出力を維持することを含む、
請求項５記載の制御方法。
【請求項７】
前記増幅パルスの光スペクトルの調整は、前記シードパルスの光スペクトルの変化を含む、
請求項４記載の制御方法。
【請求項８】
前記増幅パルスの光スペクトルの調整は、１個以上の前記シードパルスの少なくとも一部のピーク出力を調整することによって、前記シードパルスは前記光増幅器（１０３）中に誘導されたラマン散乱を生成するようになっていることを含む、
請求項４記載の制御方法。
【請求項９】
前記増幅パルスの光スペクトルの調整は、波長変換器（１１０）に結合された第１放射と第２放射の比率の調整を含み、
前記第１放射は、前記波長変換器（１１０）のスペクトル許容帯域幅内にある第１波長によって特徴付けられ、
前記第２放射は、前記波長変換器（１１０）のスペクトル許容帯域幅外にある第２波長によって特徴付けられる、
請求項４記載の制御方法。
【請求項１０】
前記第２放射は、所定波長範囲内にあって、
前記第２放射は、前記シードパルスを増幅するために使用される前記光増幅器（１０３）によって増幅される、
請求項９記載の制御方法。
【請求項１１】
シード源（１０２）によって１個以上の前記シードパルスを生成することは、前記第１波長と前記第２波長の電磁放射を包含する前記シードパルスの生成を含む、
請求項９記載の制御方法。
【請求項１２】
前記増幅パルスの偏光の調整は、前記光増幅器（１０３）と波長変換器（１１０）との間に光学的結合された調節可能な複屈折素子を使用することを含む、
請求項４記載の制御方法。
【請求項１３】
前記制御方法は更に、前記シードパルスを増幅するために使用される前記光増幅器（１０３）内で誘導されるブリルアン散乱を避けるために前記シードパルスをチャーピングすることを含む、
請求項１記載の制御方法。
【請求項１４】
１個以上のパルスの生成は、前記増幅パルスの波長変換に使用される波長変換器（１１０）のスペクトル帯域よりも広いスペクトル帯域によって特徴付けられた１個以上の前記シードパルスを生成することを含む、
請求項１記載の制御方法。
【請求項１５】
前記増幅パルスの波長変換は、χ２非線形相互作用を含む、
請求項１記載の制御方法。
【請求項１６】
前記増幅パルスの波長変換は、χ３非線形相互作用を含む、
請求項１記載の制御方法。
【請求項１７】
前記制御方法は更に、波長変換パルスの出力を監視することによって、フィードバック
信号を生成することを含み、
波長変換平均出力の制御は、前記フィードバック信号に応答することによって波長変換出力を調整することを含む、
請求項１記載の制御方法。
【請求項１８】
前記制御方法は更に、波長変換パルスの少なくとも一部をターゲットに結合させて前記ターゲットからフィードバック信号を検出することを含み、
波長変換平均出力の制御は、前記フィードバック信号に応答することによって波長変換出力を調整することを含む、
請求項１記載の制御方法。
【請求項１９】
波長変換システム（１００）であって、前記波長変換システム（１００）は、
シード源（１０２）と；
前記シード源（１０２）に光学的結合された光増幅器（１０３）と；
前記光増幅器（１０３）に光学的結合された波長変換器（１１０）と；
前記シード源（１０２）、前記光増幅器（１０３）、および前記波長変換器（１１０）のうちの少なくとも１個に光学的結合した制御装置（１０１）と
を含み、
前記制御装置（１０１）は、増幅パルスのパルス周期と比較可能な時間スケールとしての周期スケールにわたって前記光増幅器（１０３）から出る前記増幅パルスの平均出力を調整することなく、前記周期スケールにわたって前記波長変換器（１１０）の出力の波長変換平均出力を制御するように構成された論理を含む
ことを特徴とする、波長変換システム（１００）。
【請求項２０】
前記論理は、
前記光増幅器（１０３）によって生成された１個以上の前記増幅パルスのピーク出力を調整することと、
前記増幅パルスの光スペクトルを調整することと、および
前記増幅パルスの偏光を調整することと
のうちの少なくとも１つを行なうように構成される、
請求項１９記載の波長変換システム（１００）。
【請求項２１】
前記論理は、負荷サイクルと；
前記シード源（１０２）によって生成されることによって前記光増幅器（１０３）に入力される１個以上のシードパルスのパルス繰返周波数と
のうちの少なくとも一方を調整するように構成される、
請求項１９記載の波長変換システム（１００）。
【請求項２２】
前記論理は、前記シードパルスの一定の平均出力を維持するように構成される、
請求項２１記載の波長変換システム（１００）。
【請求項２３】
前記論理は、シードパルスの光スペクトルを調整するように構成される、
請求項１９記載の波長変換システム（１００）。
【請求項２４】
前記論理は、１個以上のシードパルスの少なくとも一部のピーク出力を調整することによって、シードパルスは誘導されたラマン散乱を生成するように構成される、
請求項１９記載の波長変換システム（１００）。
【請求項２５】
前記論理は、前記波長変換器（１１０）に結合された第１放射と第２放射の比率を調整するように構成され、
前記第１放射は、前記波長変換器（１１０）のスペクトル帯域幅内にある第１波長によって特徴付けられ、
前記第２放射は、前記波長変換器（１１０）のスペクトル許容帯域幅外にある第２波長によって特徴付けられる、
請求項１９記載の波長変換システム（１００）。
【請求項２６】
前記第２放射は、所定波長範囲内にあって、
前記第２放射は、前記光増幅器（１０３）によって増幅されるようになっている、
請求項２５記載の波長変換システム（１００）。
【請求項２７】
前記シード源（１０２）は、
前記第１放射を生成するように構成された第１放射源と；
前記第２放射を生成するように構成された第２放射源と；
第１シード放射および第２シード放射に光学的結合された波長マルチプレクサと
を含む、
請求項２５記載の波長変換システム（１００）。
【請求項２８】
前記論理は、前記第１放射源と前記第２放射源のうちの少なくとも一方に光学的結合され、
前記論理と前記制御回路のうちの少なくとも一方は、前記マルチプレクサに結合された前記第１放射と前記第２放射の量の比率を制御するように構成される、
請求項２７記載の波長変換システム（１００）。
【請求項２９】
前記第２放射は、所定波長範囲内にあって、前記第２放射は、前記光増幅器（１０３）によって増幅されるようになっている、
請求項２８記載の波長変換システム（１００）。
【請求項３０】
前記波長変換システム（１００）は更に、複屈折素子を含み、
前記複屈折素子は、前記光増幅器（１０３）と前記波長変換器（１１０）との間に光学的結合され、且つ調節可能である、
請求項１９記載の波長変換システム（１００）。
【請求項３１】
前記論理は、調節可能な複屈折素子に結合され、
前記論理と回路のうちの少なくとも一方は、調節可能な複屈折素子によって伝送される偏光を調整するように構成される、
請求項３０記載の波長変換システム（１００）。
【請求項３２】
前記波長変換システム（１００）は更に、出力モニタ（１１６）とフィードバックループを含み、
前記出力モニタ（１１６）は、前記波長変換器（１１０）の出力の少なくとも一部を受取り、前記出力部分に応答することによってフィードバック信号を生成するように構成され、
前記フィードバックループは、前記出力モニタ（１１６）と前記制御装置（１０１）との間に結合され、
前記論理は、前記フィードバック信号に応答することによって波長変換平均出力を調整するように構成される、
請求項１９記載の波長変換システム（１００）。
【請求項３３】
前記波長変換システム（１００）は更に、フィードバックセンサ（１２０）とフィードバックループを備え、
前記フィードバックセンサ（１２０）は、前記波長変換器（１１０）の出力の少なくとも一部とターゲットとの相互作用に応答することによって、フィードバック信号を生成するように構成され、
前記フィードバックループは、前記フィードバックセンサ（１２０）と制御装置（１０１）との間に結合され、
前記論理は、前記フィードバック信号に応答することによって波長変換平均出力を調整するように構成される、
請求項１９記載の波長変換システム（１００）。
【請求項３４】
波長変換パルスエネルギの制御方法であって、前記制御方法は、
１個以上のシードパルスを生成することと；
前記シードパルスを光増幅器（１０３）によって増幅することによって、１個以上の増幅パルスを生成することと；
前記増幅パルスを波長変換することによって、波長変換パルスエネルギによって特徴付けられた１個以上の波長変換パルスを生成することと；
前記増幅パルスのパルスエネルギを変化させることなく波長変換効率を調整することによって、前記波長変換パルスエネルギを制御することと
を含むことを特徴とする、制御方法。
【請求項３５】
波長変換光システムであって、前記波長変換光システムは、
シード源（１０２）と；
前記シード源（１０２）に光学的結合された光増幅器（１０３）と；
前記光増幅器（１０３）に光学的結合された波長変換器（１１０）と；
前記シード源（１０２）、前記光増幅器（１０３）、および前記波長変換器（１１０）のうちの少なくとも１個に光学的結合した制御装置（１０１）と
を含み、
前記制御装置（１０１）は、前記光増幅器（１０３）から出る前記増幅パルスのパルスエネルギを変化させることなく、波長変換効率を調整することによって前記波長変換器（１１０）の波長変換出力のパルスエネルギを制御するように構成された論理を含むことを特徴とする、波長変換光システム。
【請求項３６】
前記シード源（１０２）は、パルスの間欠バーストの形式でシードパルスを生成するように構成される、
請求項３５記載の波長変換光システム。
【請求項３７】
ｐｕｌｓｅ−ｔｏ−ｐｕｌｓｅベースでパルス周期を制御するように構成された論理を含む、
請求項３５記載の波長変換光システム。
【請求項３８】
前記シード源（１０２）からのシード放射のパルス波形は、パルスの間欠バーストの形式でシードパルスを生成するように構成される、
請求項３５記載の波長変換光システム。